(57)【要約】      （修正有）【課題】芝生清掃車から排出される空気に含まれる細かいゴミを除去して綺麗にして排出する装置を提供する。【解決手段】芝生上のゴミＡ、ａをブラシケース内で回転駆動するブラシで掻き揚げて空気と共に掻揚風胴を通って送り込まれるタンク１０の後方開口部をタンク１０の上方で軸支されて開閉自在な扉部材１３で閉塞しているタンク１０内に導入し、該タンク１０内に大きいゴミＡを貯留させると共に空気と一緒に送り込まれた細かいゴミａを排出する通風孔１５を前記扉部材１３に具備する芝生清掃車において、前記扉部材１３の通風孔１５から排出される空気と網１２目を通過した細かいゴミａを扉部材１３の下方向へ導く通風胴１６の排出口１７の下方に水面が位置するように細かいゴミ吸収用の水タンク２１を設けた。【選択図】図２
2015104339.tif 000002
【特許請求の範囲】
【請求項１】
芝生上のゴミをブラシケース内で回転駆動するブラシで掻き揚げて空気と共に掻揚風胴を通って送り込まれるタンクの後方開口部をタンクの上方で軸支されて開閉自在な扉部材で閉塞しているタンク内に導入し、該タンク内に大きいゴミを貯留させると共に空気と一緒に送り込まれた細かいゴミを排出する通風孔を前記扉部材に具備する芝生清掃車において、
前記扉部材の通風孔から排出される空気と網目を通過した細かいゴミを扉部材の下方向へ導く通風胴の排出口の下方に水面が位置するように細かいゴミ吸収用の水タンクを設けたことを特徴とする芝生清掃車の集塵装置。
【請求項２】
前記通風胴は、通風孔から噴き出される空気と細かいゴミが当たる対向内面が外側へ膨出した曲面に形成されていることを特徴とする請求項１に記載の芝生清掃車の集塵装置。
【請求項３】
前記通風胴の排出口の開口面積は通風胴の途中経路の断面積よりも小さく形成されていることを特徴とする請求項１又は２に記載の芝生清掃車の集塵装置。
【請求項４】
前記通風胴の排出口は複数個有することを特徴とする請求項３に記載の芝生清掃車の集塵装置。
【請求項５】
前記通風胴の排出口は横長であることを特徴とする請求項３に記載の芝生清掃車の集塵装置。
【請求項６】
前記水タンクは前記扉部材の下方に設置されていることを特徴とする請求項１乃至５のいずれかに記載の芝生清掃車の集塵装置。
【請求項７】
前記水タンクは、水タンク内面の上方に内側に傾斜した水飛散防止板を設けたことを特徴とする請求項１乃至６のいずれかに記載の芝生清掃車の集塵装置。
【請求項８】
前記水タンクは、前記扉部材のタンクの閉塞板の該側面に高さ位置可変に取付けられている水受ガイドに着脱自在に載置されていることを特徴とする請求項１乃至７のいずれかに記載の芝生清掃車の集塵装置。
【請求項９】
前記水受ガイドは、前記水タンクを載置する底面ぼ両側の側面板に前記閉塞板の外側面に設けられた水受上下調整枠のノッチのその両側を固定するための握り手を設けたことを特徴とする請求項１乃至８のいずれかに記載の芝生清掃車の集塵装置。
【請求項１０】
前記水タンクの上面が上側を扉部材に固定されている柔軟性部材によって覆われていることを特徴とする請求項１乃至９のいずれかに記載の芝生清掃車の集塵装置。
【発明の詳細な説明】
【技術分野】
【０００１】
この発明は、芝刈機や草刈機などを用いて刈り取られた芝生や草あるいは落葉、枯れ草やホコリなどのゴミを拾い集めて芝生植え表面を清掃する芝生清掃車に取付けて使用する芝生清掃車の集塵装置に関する。
【背景技術】
【０００２】
ゴルフ場や野球場或いは販売する芝生の芝生育成場などにおいて、芝生が成長しすぎると競技に支障が生じたり商品価値が低下するために、所定の長さ以上になれば草刈機などを用いて短くする芝生の刈り取り作業をしている。この作業時において発生した刈り取った芝生や草等を収集してゴミ捨場へ運ぶために芝生清掃車が一般に用いられている（例えば、非特許文献１）。
【０００３】
この従来の芝生清掃車１は、図１１〜１４に示すように、車体２を走行自在に支える前輪３と後輪４の間であって、前方のエンジン駆動部５と後方のタンク積載部６の境界の下方には刈り取った芝生や草あるいはホコリも混じった大小の刈取ゴミＡ，ａを掻き上げるため回転駆動するブラシ７を内臓するブラシケース８が設けられており、このブラシケース８から掻上風胴９を通ってタンク１０内に空気と共に大小の刈取ゴミＡ，ａがタンク１０内に送られる。このタンク１０に送られた刈取ゴミＡ，ａは、タンク１０内の前方上方に設けてある反射板１１あるいは天井に当って下方へ向きを変えるために大きな刈取ゴミＡはタンク底１０ａに蓄積され、細かな刈取ゴミａは空気と共に反射板１１の延長上に設けられてタンク１０内の後方上方にある網１２の目を通り抜けてタンク１０の後方端の開口部１０ｂを開閉自在な扉部材１３の閉塞板１４の上方に形成してある通風孔１５から閉塞板１４の外側に形成している通風胴１６を経由して下向きに排出口１７から地面に向かって大気中に放出されている。
【０００４】
そして、所定量の大きな刈取ゴミＡがタンク底１０ａに溜ると、タンク１０を車体２に設けた支点１８を中心にダンプさせることで、扉部材１３の閉塞板１４の上方とタンク１０の上方とを回転自在に固定している回転軸１９を中心に重力により真下方向に扉部材１３が垂れてタンク１０の後方端の開口部１０ｂと扉部材１３の閉塞板１４の間にできる隙間から堆積した刈取ゴミＡがタンク底１０ａを滑ってゴミ捨場に捨てられる。
【先行技術文献】
【非特許文献】
【０００５】
【非特許文献１】有限会社河島農具製作所の２０１１年版カタログ「カワシマ乗用ローンスイーパー  ＬＳ９５０Ｄ  ＬＳ９５０ＨＤ」
【発明の概要】
【発明が解決しようとする課題】
【０００６】
上記した従来の芝生清掃車１によると、タンク内に空気と共に掻き上げられた大小の刈取ゴミＡ、ａのうち網１２の目を通り抜けた細かい刈取などのゴミａは、空気と共に通風孔１５から通風胴１６を経由して下向きに排出口１７から地面に向かって大気中に放出されるが、ゴルフ場などのように人が近くに居る場合には細かいゴミａが大気環境を悪くして周りの人に不愉快感を与えるという問題点がある。
【課題を解決するための手段】
【０００７】
この発明は上記事情に鑑みてなされたものであって、その手段とするところは、請求項１は、芝生上のゴミをブラシケース内で回転駆動するブラシで掻き上げて空気と共に掻上風胴を通って送り込まれるタンクの後方開口部をタンクの上方で軸支されて開閉自在な扉部材で閉塞しているタンク内に導入し、該タンク内に大きいゴミを貯留させると共に空気と一緒に送り込まれた細かいゴミを排出する通風孔を前記扉部材に具備する芝生清掃車において、
前記扉部材の通風孔から排出される空気と網目を通過した細かいゴミを扉部材の下方向へ導く通風胴の排出口の下方に水面が位置するように細かいゴミ吸収用の水タンクを設けた芝生清掃車の集塵装置としたことにある。
【０００８】
請求項２の発明は、前記通風胴は、通風孔から噴き出される空気と細かいゴミが当たる対向内面が外側へ膨出した曲面に形成されていることにある。
【０００９】
請求項３の発明は、通風胴の排出口の開口面積は通風胴の途中経路の断面積よりも小さく形成されていることにある。
【００１０】
請求項４の発明は、通風胴の排出口は複数個有することにある。
【００１１】
請求項５の発明は、通風胴の排出口は横長であることにある。
【００１２】
請求項６の発明は、水タンクが前記扉部材の下方に設置されていることにある。
【００１３】
請求項７の発明は、水タンクは、水タンクの内面の上方に内側に傾斜した水飛散防止板を設けたことにある。
【００１４】
請求項８の発明は、水タンクは、前記扉部材のタンクの閉塞板の外側面に高さ位置可変に取付けられている水受ガイドに着脱自在に載置されていることにある。
【００１５】
請求項９の発明は、水受ガイドは、前記水タンクを載置する底面の両側の側面板に前記閉塞板の外側面に設けた水受上下調整枠のノッチにそのに両側を固定するための握り手を設けたことにある。
【００１６】
請求項１０の発明は、水タンクの上面が上側を扉部材に固定されている柔軟性部材によって覆われていることにある。
【発明の効果】
【００１７】
請求項１の発明によれば、タンクから排出される刈取りした細かいゴミ等を含んだ空気が、通風胴の排出口から水タンクの水面に向かって吹き出すように構成されているので、空気中にある細かい刈取ゴミ等は水面に衝突して水に吸収されることとなり空気中に飛散することがなくなり、周りの人に不快感を与えることがなくなる。従って、例えば、ゴルフ場の清掃に使用した場合にはゴルフのプレー中であっても清掃作業が行える利点がある。
【００１８】
請求項２の発明によれば、タンクから細かい刈取ゴミ等と空気が噴出される通風孔の向いの通風胴の対向内面が外側へ膨出した曲面となるように形成されているので、空気の流れが平板の場合と比べてスムーズになる利点がある。
【００１９】
請求項３の発明によれば、通風胴の排出口の開口面積は通風胴の途中経路の断面積よりも小さく形成されているので、排出口において排出速度が速くなる結果、水タンクの水面に衝突する細かい刈取ゴミ等の衝突力も大きくなってより多くの細かい刈取ゴミ等を水面に吸収させることができる。このことにより、より排出される空気が浄化される。
【００２０】
請求項４の発明によれば、排出口が複数個あるので、水タンクの水面の離れた位置へ細かいゴミを吸着させることができるので、水タンクに堆積する細かい刈取ゴミ等の位置を離れさせることができる。このために、多くの細かいゴミを１つの水タンクに収集することができる。
【００２１】
請求項５の発明によれば、排出口が横長となっているので、水タンクの横方向全域に亘って細かいゴミ等を堆積することができるので、多くの細かいゴミを１つの水タンクに収集することができる。
【００２２】
請求項６の発明によれば、水タンクは扉部材の下方に設置されているので、タンクがダンプして後方側へ傾斜した場合であっても、扉部材が軸支されているので常に垂直方向の姿勢を維持することから、水タンクは傾くことはなく、従って、水がこぼれ出ることがない。
【００２３】
請求項７の発明によれば、水タンクに設けた水飛散防止板によって、清掃車が走行する芝生等の植込み地面に凹凸があって水タンクの水面が揺れた場合にあっても飛散してこぼれ出ることを防止できるのに加えて、排出口から吹き出す細かい刈取ゴミを含んだ空気との接触の機会が増加することから、多くの細かい刈取ゴミを水に吸収させて、空気を一層きれいに浄化できる。
【００２４】
請求項８の発明によれば、水タンクが閉塞板に高さ位置可変に取付けられている水受ガイドに着脱自在に固定されているので、細かい刈取ゴミが水タンクの中で堆積して背が高くなった場合には徐々に高さ位置を低くしてゆけばよいので、細かい刈取ゴミを水タンクに多く回収することができる。
【００２５】
請求項９の発明によれば、水受ガイドの両側面板に握り手を設けているのでこれを手で持って運ぶことができ便利であると共に、この握り手を水受上下調整枠に固定することで水受ガイドの上下位置を容易に調整できる。
【００２６】
請求項１０の発明によると、水タンクの上面が上側を扉部材に固定されている柔軟性部材によって覆われているので、細かい刈取ゴミが水面に衝突してもまだ一部に細かい刈取ゴミを含む空気がこの柔軟性部材によって覆われた空間内で暫く対流するので、その間に水面との接触の機会もより多くなって、より空気が浄化される。
【図面の簡単な説明】
【００２７】
【図１】この発明の芝生清掃車の集塵装置の全体斜視図
【図２】芝生清掃車のタンクへの取付状態の図１の中央横断面説明図
【図３】水タンクの水受ガイドへの固定説明図
【図４】水タンクの水受ガイドの固定解除説明図
【図５】水受ガイドの扉部材への取付状態説明図
【図６】水受ガイドの扉部材への取外し過程説明図
【図７】水タンクの他の実施形態の断面説明図
【図８】水タンクと通風胴の排出口の間の柔軟性部材の取付説明図
【図９】この発明の芝生清掃車の他の実施形態の集塵装置の全体斜視図
【図１０】この発明の芝生清掃車の更に他の実施形態の集塵装置の全体斜視図
【図１１】芝生清掃車と従来の集塵装置の一部断面全体説明図
【図１２】従来の扉部材の全体斜視図
【図１３】芝生清掃車のタンクへの取付状態の図１２の中央縦線断面説明図
【図１４】芝生清掃車に従来の扉部材を具備した時のタンクから大きいゴミを排出するダンプ状態説明図
【発明を実施するための形態】
【００２８】
この発明の実施形態について以下図面に基づき説明する。なお背景技術の項で説明した従来技術と共通部分については、同符号を付してその説明を省略する。
【００２９】
この発明の芝生清掃車１の集塵装置２０は、図１、図２によく現れているように、通風胴１６の排出口１７の下方に水タンク２１を置いて、排出口１７から排出される細かい刈取ゴミａを含んだ空気を水タンク２１の面に当てて、細かい刈取ゴミａを水に吸収させ、空気を浄化して大気へ放出することにある。
【００３０】
前記集塵装置２０は、タンク１０の後方開口部１０ｂを塞ぐ閉塞板１４と、該閉塞板１４の上方に形成した通風孔１５と連通してタンク１０からの細かい刈取ゴミａと空気を外部下方へ導くために前記閉塞板１４の外側に設けた通風胴１６と、該通風胴１６の下方に設けた排出口１７を具備する扉部材１３と、前記排出口１７の下方に水面が位置するように設置した水タンク２１とを基本構成としたものである。
【００３１】
前記扉部材１３は、タンク１０の後方開口部１０ｂの上方で回転軸１９によって芝生清掃車１の走行方向前後に回転自在となっているので、タンク１０が図外のダンプ機構によって支点１８を中心にその前方を持ち上げられた際には、扉部材１３は自重によって地面に対して垂直方向の姿勢を維持するように回転軸１９に吊り上げられた状態となる。これによってタンク１０の後方開口部１０ｂと扉部材１３の閉塞板１４との間に生じた間際からタンク１０内に貯留している大きな刈取ゴミＡが後方へ傾いたタンク１０のタンク底１０ａを滑り落ちて地面に放出される。
【００３２】
前記通風胴１６の通風孔１５に対向する側の通風胴１６を形成する外周枠２２は外側へ膨らんだ曲線を描いて流れをスムーズに下方へ方向転換するようにしている。通風胴１６はその外周枠２２の一部を閉塞板１４と兼用してもよいし、全て別部材によって形成してもよい。通風胴１６の通風部の断面積は排出口１７に近づくに従って絞られて小さくなっているので、排出口１７からは高速度で小さな刈取ゴミａを含んだ空気が排出されるために、小さな刈取ゴミａの水に吸収される割合が多くなるようになっている。この場合において、絞った排出口１７を図９に示すように２つに分けて設けても、図１０に示すように横方向に長くなるようにしてもよい。
【００３３】
前記水タンク２１は、図１，図２によく表われているように前記閉塞板１４の外側面に高さ調節自在に固定されている水受ガイド２３に載置されている。該水受ガイド２３は、水タンク２１を載置する載台２３ａとこの載台２３ａの両側の側板２３ｂと２つの側板２３ｂの間の後方を塞ぐ後方板２３ｃとからなり、両側板２３ｂには外側へ突出したコの字型の握り手２４が固定され、又、載台２３ａには水タンク２１を引出し易いようにベアリング２５が設けられ、更に、両側板２３ｂの開放側の端部には載台２３ａ上の水タンク２１を係止するためのストッパー２６が回動自在に設けられている。このストッパー２６は、図３，図４によく表わされているように、側板２３ｂに固定された軸受け２７に側板２３ｂの内側への直交方向に回動するように固定されている。そして、一端を側板２３ｂに固定された引張バネ２８の他端がストッパー２６の軸受２７の軸の近傍の引掛け棒２９に固定されることによって、側板２３ｂの内側への係止位置及び側板２３ｂの外側への開放位置を付勢力によって維持し得るよにしている。
【００３４】
前記水タンク２１は図１，図２によく表わされているように、前記水受ガイド２３の両側板２３ｂと後方板２３ｃの空間に収納されて載台２３ａのベアリング２５上へ載置されることによって、その内部に入れてある水Ｂの水面が排出口１７に直面するようになるもので、その内部の相対向する内面には持ち運びのために手把棒３０が設けられ、又、水受ガイド２３の開放側の側面には引出し時に使用する取手２１ａが固定されている。この水タンク２１の大きさは水受ガイド２３の内部に納まる程度でよい。更に、図７に示すように、水面が揺れた場合に端から飛び出さないように内面の上方に水返しとなる内側に傾斜した水飛散防止板３１を設けるようにすれば、芝生走向車１が走向する地面が芝生等によって平地でない時にも水が飛び出すことを防止できる。そして、運行時には図５に示すように前記ストッパー２６を倒して水タンク２１が水受ガイド２３から外れないように係止し、取り出すときには、図４に示すように、ストッパー２６を反対側に対して取手２１でもってベアリング２５上を滑らせて引出す。
【００３５】
この実施形態においては、水タンク２１の高さの調節はすなわち水受ガイド２３の高さの調節であるが、これは、図５、図６に示すように、両側板２３ｂに設けてある握り手２４を閉塞板１４に縦方向に設けてある水受調整枠３２の複数のノッチ３２ａの任意の高さ位置に掛けて、該水受調整枠３２の上方に回転自在に支持されている固定枠３２ｂを閉めてノッチ３２ａからの握り手２４の落下を防止するようにしたものである。固定枠３２ｂは芝生走行車１の振動によって走行中に開くことがないように固定枠３２ｂの下方と水受調整枠３２の双方に設けてあるピン穴３３に差し込むピン３４によって固定されている。
【００３６】
上記構成からなるこの発明の芝生清掃車１の集塵装置２０を用い芝生や草原上に残っている刈取ゴミＡ，ａ等を回収するには、芝生清掃車１に乗ってそれら刈取ゴミＡ，ａ等がある芝生面上を走行する。これにより、車体２の略中央下方に設けてあるブラシケース８の内側のブラシ７の回転によって、刈取ゴミＡ，ａ等が風圧によって掻き上げられて掻上風胴９を通ってタンク１０内に導かれ、ここでタンク１０内の上方にある反射板１１に当ってタンク底１０ａ方向に落下する時に大きい刈取ゴミＡはそのままタンク底１０ａに堆積され、細かい刈取ゴミａは再び舞い上がって網１２の目の間を空気と共に通風孔１５から扉部材１３の通風胴１６に入る。網１２を通過する際には、舞い上がった大きな刈取ゴミＡは網１２の目を通過できず落下してタンク底１０ａに堆積される。
【００３７】
通風胴１６に導かれた細かい刈取ゴミａと空気は外側へ膨出した外周枠２２の内面の曲線によって緩やかに下方への方向転換をして排出口１７から出て、その下方にある水タンク２１内の水Ｂに衝突する。このとき、排出口１７の開口面積は通風胴１６の途中の断面積よりも小さくなるように絞られていることから、細かい刈取ゴミａが水と接触する割合が大きくなって、水Ｂに吸収される度合いが大きくなる。又、この時、水タンク２１に水飛散防止板３１が設けてあれば、芝生走行車１が揺れるとそれに伴って水面も揺れて内面に沿って上方へ飛散した水Ｂは水飛散防止板３１によって再び水タンク２１内に戻る過程においても細かい刈取ゴミａを含む空気と接触するために細かい刈取ゴミａの除去効率が向上する。
【００３８】
このようにして、水に吸収された細かい刈取ゴミａは、水タンク２１の底面に堆積して水面を越えることも生じるため、水受ガイド２３を順次下方の位置へと下げていくのが好ましく、そのためにピン３４を外してから固定枠３２ｂを回転して持ち上げて水受ガイド２３の握り手２４を持って下方のノッチ３２ａに移動させて再び固定枠３２ｂを回転して下ろしてピン３４で固定する。このようにして、水タンク２１内に細かい刈取ゴミａが満たされると、除去効率が低下するので、水タンク２１を取り外して内部に堆積した細かい刈取ゴミａを水Ｂと共に所定場所に投棄する。この時ストッパー２６を外してから取手２１ａを持って引張ると水タンク２１はベアリング２５上を滑って手前に容易に引出せる。そして、手握棒３０を両手で持って投棄して新しい水Ｂを入れて逆の手順で元に戻す。
【００３９】
上記のようにして、一端水面に衝突して細かい刈取ゴミａを除去された空気が大気に放出されるために、周囲に人が居ても不快感を与えることが亡くなる。尚。図８に示すように、水タンク２１の上方と排出口１７のそれぞれの周囲をゴムや合成樹脂シートなど柔軟性部材３５で塞いでおくことによって、細かい刈取ゴミａと水面との接触機会が多くなって、細かい刈取ゴミａの含有の少ない空気が水タンク２１と柔軟性部材３５の隙間から放出させることになり、又、水の飛散による水面の低下も防止できる。
【００４０】
以上の説明においては、芝生刈りによる刈取ゴミの集塵装置１の場合について説明したが、芝生に代えて草原或いは芝生と草原の混合の場合でもよく、更に、刈取ゴミに限らず落葉や枯草などのゴミであっても良い。又、芝生も天然芝のみならず合成樹脂からなる人工芝でその上面に紙クズなどのゴミやアンツーカーなどが散乱している場合にも同様に利用することができる。
【産業上の利用可能性】
【００４１】
この発明の芝生清掃装置の集塵装置は、全国各場に多数存在するゴルフ場、ゴルフ練習場、育芝場、球戯場、野球場、人工芝運動場などにおいて広く利用できる。
【符号の説明】
【００４２】
１      芝生清掃車
２      車体
７      ブラシ
８      ブラシケース
９      掻上風胴
１０    タンク
１１    反射板
１２    網
１３    扉部材
１４    閉塞板
１５    通風孔
１６    通風胴
１７    排出口
２０    集塵装置
２１    水タンク
２３    水受ガイド
２６    ストッパー
３１    水飛散防止板
３５    柔軟性部材
【図１】
2015104339.tif 000003
【図２】
2015104339.tif 000004
【図３】
2015104339.tif 000005
【図４】
2015104339.tif 000006
【図５】
2015104339.tif 000007
【図６】
2015104339.tif 000008
【図７】
2015104339.tif 000009
【図８】
2015104339.tif 000010
【図９】
2015104339.tif 000011
【図１０】
2015104339.tif 000012
【図１１】
2015104339.tif 000013
【図１２】
2015104339.tif 000014
【図１３】
2015104339.tif 000015
【図１４】
2015104339.tif 000016